(57)【要約】【課題】透過部と不透過部を備えたスクリーンを有するロールスクリーンにおいて、巻取パイプに巻き取られているスクリーンの巻数が少なくなったときに、巻取パイプの表面が透過部を通して透けて見えることを防止する。【解決手段】透過部１６ａと不透過部１６ｂとが上下方向に交互に連続して形成されたスクリーン１６はスクリーン連結部材２２によって巻取パイプ１４に取付けられ、スクリーン連結部材２２を境にスクリーン１６が捨て巻き部１６ｃと遮蔽部１６ｄとになる。スクリーン１６が巻取パイプ１４に巻取られるときに、遮蔽部１６ｄの一巻目の透過部１６ａ全体が、捨て巻き部１６ｃの不透過部１６ｂに重複するように巻取られるようにした。【選択図】図２
2014163135.tif 000002
【特許請求の範囲】
【請求項１】
サイドブラケット（１２）に巻取パイプ（１４）を回転可能に支持し、透過部（１６ａ）と不透過部（１６ｂ）とが上下方向に交互に連続して形成されたスクリーン（１６）を巻取パイプ（１４）に巻取り及び巻解き可能に取付けたロールスクリーンにおいて、
巻取パイプ（１４）に、不透過部（１６ｂ）を有する捨て巻き部（１６ｃ）が設けられ、スクリーンが巻取パイプに巻取られるときに、一巻目の透過部（１６ａ）全体が、捨て巻き部（１６ｃ）の不透過部（１６ｂ）に重複するように巻取られるようにしたことを特徴とするロールスクリーン。
【請求項２】
スクリーン（１６）はスクリーン連結部材（２２）によって巻取パイプ（１４）に取付けられ、スクリーン連結部材（２２）を境にスクリーン（１６）が捨て巻き部（１６ｃ）と遮蔽部（１６ｄ）とになり、スクリーンが巻取パイプに巻取られるときに、遮蔽部（１６ｄ）の一巻目の透過部（１６ａ）全体が、捨て巻き部（１６ｃ）の不透過部（１６ｂ）に重複するように巻取られるようにしたことを特徴とする請求項１記載のロールスクリーン。
【請求項３】
スクリーン連結部材（２２）は、スクリーン（１６）の透過部（１６ａ）と不透過部（１６ｂ）との境目に設けられるようにしたことを特徴とする請求項２記載のロールスクリーン。
【請求項４】
捨て巻き部（１６ｃ）と遮蔽部（１６ｄ）とは別体であることを特徴とする請求項２記載のロールスクリーン。
【請求項５】
捨て巻き部（１６ｃ）と遮蔽部（１６ｄ）の巻始めとが、スクリーン（１６）の巻取パイプ取付点から重なり合って、同じ方向に巻き取られることを特徴とする請求項２ないし４のいずれか１項に記載のロールスクリーン。
【請求項６】
捨て巻き部（１６ｃ）の不透過部（１６ｂ）は少なくとも一巻目の透過部（１６ａ）全体が巻き取られる巻取パイプ（１４）の表面部分に固定されていることを特徴とする請求項１ないし５のいずれか１項に記載のロールスクリーン。
【請求項７】
捨て巻き部（１６ｃ）の不透過部（１６ｂ）は巻取パイプ（１４）の表面全周にわたって固定されていることを特徴とする請求項６記載のロールスクリーン。
【発明の詳細な説明】
【技術分野】
【０００１】
本発明は、透過部と不透過部を備えたスクリーンを有するロールスクリーンに関する。
【背景技術】
【０００２】
このような構成のロールスクリーンとしては、特許文献１に示されるものが知られている。これに示されるものは、天井又は壁面に取付けられるバー本体に回転可能に巻取パイプ（巻取パイプ）を取付け、巻取パイプにスクリーンの一端を固定し、スクリーンの他端を巻取パイプから垂下し錘本体で折り返して、バー本体の一方の側部から突出させたスクリーン固定部材に固定している。
【０００３】
巻取パイプを回転させて、スクリーンを巻取パイプに巻取っていくと、スクリーンの上下方向に交互に形成される透過部と不透過部とが順番に巻取られていく。
【０００４】
この巻取パイプにスクリーンの一端を固定するために、巻取パイプの外周の一部にはその長手方向に断面Ｃ字状の座溝が全長に亘って形成され、また、スクリーンの一端に、この座溝に挿入可能であるけれども座溝の開口部から引き抜き不能な平板部材が逢着されている。スクリーンの一端とともにその平板部材を巻取パイプの長手方向の端縁からその座溝に挿入して、スクリーンを座溝における開口部から引き出すことにより巻取パイプの周囲にスクリーンの端部を固定している。
【先行技術文献】
【特許文献】
【０００５】
【特許文献１】特開２００９−７９４３０号公報
【発明の概要】
【発明が解決しようとする課題】
【０００６】
このような従来の構成のロールスクリーンにおいては、巻取パイプからスクリーンを巻解いていき、巻取パイプに巻き取られているスクリーンの巻数が少なくなっていくと、巻取られているスクリーンの透過部を通して巻取パイプの表面が外部に透けて見えてしまう、という問題がある。スクリーンを下限位置まで下降させると、巻取パイプに巻取られているスクリーンは一巻程度になるため、巻取パイプの表面がより目立つことになり、巻取パイプ部分の意匠性が悪いという問題がある。また、巻取パイプと、透過部と不透過部とのピッチとの関係によっては、最初に巻き取られた透過部の上に次の透過部が重なるため、巻取パイプにスクリーンが数巻程度巻き取られていても、巻取パイプの表面が外部に透けてしまう。
【０００７】
特に、巻取パイプの多くは無着色のアルミ材で構成されることが多く、スクリーンの透過部を介して巻取パイプの表面の金属面が見えると、ロールスクリーン全体のイメージを損ない、意匠性を悪化させるという問題がある。
【０００８】
本発明は、巻取パイプに巻き取られているスクリーンの巻数が少なくなった状態においても、巻取パイプの表面が透けて見えることが防止されたロールスクリーンを提供することをその目的とする。
【課題を解決するための手段】
【０００９】
前述した目的を達成するために、請求項１記載の発明は、サイドブラケットに巻取パイプを回転可能に支持し、透過部と不透過部とが上下方向に交互に連続して形成されたスクリーンを巻取パイプに巻取り及び巻解き可能に取付けたロールスクリーンにおいて、
巻取パイプに、不透過部を有する捨て巻き部が設けられ、スクリーンが巻取パイプに巻取られるときに、一巻目の透過部全体が、捨て巻き部の不透過部に重複するように巻取られるようにしたことを特徴とする。
【００１０】
請求項２記載の発明は、請求項１記載のものにおいて、スクリーンはスクリーン連結部材によって巻取パイプに取付けられ、スクリーン連結部材を境にスクリーンが捨て巻き部と遮蔽部とになり、スクリーンが巻取パイプに巻取られるときに、遮蔽部の一巻目の透過部全体が、捨て巻き部の不透過部に重複するように巻取られるようにしたことを特徴とする。
【００１１】
請求項３記載の発明は、請求項２記載のものにおいて、スクリーン連結部材は、スクリーンの透過部と不透過部との境目に設けられるようにしたことを特徴とする。
【００１２】
請求項４記載の発明は、請求項２記載のものにおいて、捨て巻き部と遮蔽部とは別体であることを特徴とする。
【００１３】
請求項５記載の発明は、請求項２ないし４のいずれか１項に記載のものにおいて、捨て巻き部と遮蔽部の巻始めとが、スクリーンの巻取パイプ取付点から重なり合って、同じ方向に巻き取られることを特徴とする。
【００１４】
請求項６記載の発明は、請求項１ないし５のいずれか１項に記載のものにおいて、捨て巻き部の不透過部は、少なくとも一巻目の透過部全体が巻き取られる巻取パイプの表面部分に固定されていることを特徴とする。
【００１５】
請求項７記載の発明は、請求項６記載のものにおいて、捨て巻き部の不透過部は巻取パイプの表面全周にわたって固定されていることを特徴とする。
【発明の効果】
【００１６】
本発明によれば、スクリーンが巻取パイプに巻取られるときに、一巻目の透過部全体が、捨て巻き部の不透過部に重複するように巻取られるようになっているため、巻取パイプにスクリーンが僅かしか巻取られていない状態であってもスクリーンの透過部から巻取パイプの表面が透けて見えることがなく、スクリーンを下限位置まで下降させても巻取パイプ部分の意匠性を良好にすることができる。
【００１７】
スクリーン連結部材をスクリーンの透過部と不透過部との境目に設けることにより、スクリーン連結部材を境として捨て巻き部と遮蔽部とを構成したときに、遮蔽部の透過部が捨て巻き部の不透過部に必ず重複するように巻取ることができる。また、捨て巻き部と遮蔽部とを一体に設けることができるため、簡単に構成することができる。
【００１８】
また、捨て巻き部と遮蔽部とを別体にすることで、捨て巻き部の長さを自由に設定することができるようになる。
【００１９】
また、捨て巻き部と遮蔽部の巻始めとが、スクリーンの巻取パイプ取付点から重なり合って、同じ方向に巻き取られるようにしたことで、スクリーンを巻き取ったときに、捨て巻き部が、必ず遮蔽部の巻始めとスクリーンとの間に配置されるようにすることができる。
【００２０】
少なくとも一巻目の透過部全体が巻き取られる巻取パイプの表面部分に、あるいは巻取パイプの表面全周にわたって、不透過部を固定することにより、透過部と不透過部のピッチに関係なく一巻目の透過部全体が捨て巻き部の不透過部に重複するので、巻取パイプの表面がスクリーンを介して透けて見えることを防止することができる。
【図面の簡単な説明】
【００２１】
【図１】本発明の第１の実施形態に係るロールスクリーンの全体斜視図である。
【図２】第１の実施形態の巻取パイプにスクリーンを取付ける態様を表す斜視図であり、（ａ）は取付ける前の状態を、（ｂ）は取付けた後の状態をそれぞれ示す。
【図３】第１の実施形態の巻取パイプにスクリーンを取付ける態様を表す断面図であり、（ａ）は取付ける前の状態を、（ｂ）は取付けた後の状態をそれぞれ示す。
【図４】第１の実施形態の巻取パイプにスクリーンが巻取られている状態を示す断面図である。
【図５】第１の実施形態の巻取パイプからスクリーンが一巻程度巻き取られている状態を示す断面図である。
【図６】第２の実施形態において巻取パイプにスクリーンを取付ける態様を表す断面図であり、（ａ）は取付ける前の状態を、（ｂ）は取付けた後の状態をそれぞれ示す。
【発明を実施するための形態】
【００２２】
以下、図面を用いて本発明の実施の形態を説明する。
【００２３】
図１に示したように、第１の実施形態にかかるロールスクリーンは、図示していない窓枠や天井等に固定されるセットフレーム１０の両端に設けられたサイドブラケット１２に巻取パイプ１４の両端が回転可能に支持されており、巻取パイプ１４にスクリーン１６が巻取り及び巻解き可能に連結されている。スクリーン１６は巻取パイプ１４から垂下するとともに下部レール１８に巻回されて折り返されて上昇し、図示していない支持部材によってセットフレーム１０及び／又はサイドブラケット１２間に支持される。スクリーン１６は、下部レール１８の自重によりその折り返し部が下方に引っ張られることにより、展張状態を維持している。巻取パイプ１４の回転操作は、サイドブラケット１２の一端に設けられた操作チェーン２０を操作することにより行われ、また、操作チェーン２０の操作を停止すれば、公知のストッパにより巻取パイプ１４はその停止位置を維持可能となる。
【００２４】
スクリーン１６は、光をある程度透過する透過部１６ａと、透過部１６ａに比較して光の透過率が低い不透過部１６ｂとが上下方向に交互に連続して一定周期で形成される。好ましくは、透過部１６ａは透明または半透明の生地からなっており、不透過部１６ｂは遮光生地からなっている。また、好ましくは、透過部１６ａの高さ寸法は、不透過部１６ｂの高さ寸法以下、さらに好ましくは、不透過部１６ｂの高さ寸法よりも小さくなるように設定される。これによって、操作チェーン２０を操作して巻取パイプ１４から垂下するスクリーン１６の長さを前記一定周期の間で変化させて、下部レール１８を折り返されて前後に配置されるスクリーン１６の一方側の不透過部１６ｂが他方側の透過部１６ａに対して覆い重なるようにすると、スクリーン１６全体が不透過状態となり、または、一方側の透過部１６ａと他方側の透過部１６ａとが少なくとも一部重なるようにすると、スクリーン１６の一部を透過状態にすることができる。また、操作チェーン２０を操作して巻取パイプ１４からスクリーン１６を巻取り及び巻解くと、下部レール１８が上下動して、スクリーン１６が全体的に昇降する。
【００２５】
図２及び図３に示すように、スクリーン１６の巻取パイプ１４への取付けは、巻取パイプ１４の連結溝１４ａにスクリーン１６に連結されたスクリーン連結部材２２を挿入することにより行われる。
【００２６】
巻取パイプ１４の連結溝１４ａは、巻取パイプ１４の円周方向の一部に長手方向全長にわたって形成される開口部１４ａ−１と、巻取パイプ１４の内部に開口部１４ａ−１と連通して開口部１４ａ−１よりも円周方向に広がり長手方向全長にわたって形成される凹部１４ａ−２と、から構成される。
【００２７】
スクリーン連結部材２２は、スクリーン１６が固着される平板状の固着部２２ａと、固着部２２ａの一端部に形成される横断面凸状の係止部２２ｂとを有する。スクリーン連結部２２全体は凹部１４ａ−２の円周方向の大きさよりも小さく、開口部１４ａ−１の円周方向の大きさよりも大きく形成されている。また、係止部２２ｂは凹部１４ａ−２の径方向寸法よりも若干大きく構成されて開口部１４ａ−１の一方の端部に係止可能となっている。そして、一旦、スクリーン連結部材２２が連結溝１４ａ内に挿入されると、簡単には取り外されないようになっている。
【００２８】
スクリーン１６にスクリーン連結部材２２を連結するのは次のように行われる。すなわち、スクリーン１６を最上端部の不透過部１６ｂとこれに隣り合う透過部１６ａとの境目で折り返し、透過部１６ａと不透過部１６ｂとが重なり合うような状態にする。この場合、折り返し部１６ｅよりも最上端部側が、スクリーンの本来の機能である遮蔽機能とは無関係に巻取パイプ１４に巻き付けられまたは固定される捨て巻き部１６ｃとなり、折り返し部１６ｅよりも反最上端部側がスクリーンの本来の機能である遮蔽機能を果たす遮蔽部１６ｄとなる。捨て巻き部１６ｃは、折り返し部１６ｅよりも最上端部側の不透過部１６ｂを有し、遮蔽部１６ｄは、折り返し部１６ｅより反最上端部側の透過部１６ａ及びこれに連続する不透過部１６ｂ、透過部１６ａ・・・を有する。そして、捨て巻き部１６ｃがスクリーン連結部材２２の固着部２２ａの一方の面に直接当接するとともに、折り返し部１６ｅが係止部２２ｂに近接するように配置して、重なり合った捨て巻き部１６ｃの一部と遮蔽部１６ｄの一部とをステープルや縫製等により固着部２２ａに固着する。
【００２９】
このようにスクリーン１６が連結されたスクリーン連結部材２２を巻取パイプ１４に取付けるには、図２（ａ）及び図３（ａ）に示すように、捨て巻き部１６ｃと遮蔽部１６ｄとが重なり合った状態で、スクリーン連結部材２２の固着部２２ａの自由端部に沿って回り込んで固着部２２ａの他方の面上及び係止部２２ｂ上を通過させた状態とする。その後、図３（ａ）中矢印Ａで示すように、固着部２２ａの自由端部側から連結溝１４ａ内にスクリーン連結部材２２を挿入する。スクリーン連結部材２２を連結溝１４ａに完全に挿入すると、図２（ｂ）及び図３（ｂ）に示すように、固着部２２ａの自由端部が連結溝１４ａ内で巻取パイプ１４の内周面に当接して外径方向への移動が規制され、係止部２２ｂが開口部１４ａ−１の一方の端縁に係止して円周方向への移動が規制される。スクリーン１６の捨て巻き部１６ｃと遮蔽部１６ｄは互いに重なり合った状態で開口部１４ａ−１から外部に同方向に導出され、つまり、捨て巻き部１６ｃの自由端部が遮蔽部１６ｄの巻始めと同じ側に配置され、遮蔽部１６ｄと巻取パイプ１４の間に位置する構成となる。
【００３０】
次に、スクリーン１６の巻取り及び巻解きの動作を図４及び図５を参照して説明する。
【００３１】
前後に垂下する操作チェーン２０のうちの一方を引き下げて、巻取パイプ１４が図５中反時計方向に回転するようにすると、図４に示すように巻取パイプ１４にスクリーン１６が巻取られる。この際、捨て巻き部１６ｃの自由端部は遮蔽部１６ｄの巻始めと同じ側に配置されているため、遮蔽部１６ｄの一巻目の最初の透過部１６ａが捨て巻き部１６ｃの不透過部１６ｂに重なり合って同じ方向で巻取パイプ１４に巻取られる。上述のように不透過部１６ｂの高さ寸法は、透過部１６ａの高さ寸法以上となっているため、遮蔽部１６ｄの一巻目の最初の透過部１６ａは、捨て巻き部１６ｃの不透過部１６ｂに完全に重複することとなる。従って、この最初の透過部１６ａを介して巻取パイプ１４の表面が透けて見えることはない。この後、遮蔽部１６ｄをさらに巻取っていくと、巻取られたスクリーン分だけ巻径が少しずつ大きくなる。二巻目以降の透過部１６ａは、捨て巻き部１６ｃの不透過部１６ｂまたはそれ以前の巻目の不透過部１６ｂに重複するために、同様に、巻取パイプ１４の表面が透けて見えることはない。
【００３２】
一方、前後に垂下する操作チェーン２０のうちの他方を引き下げて、巻取パイプ１４が図４中時計方向に回転するようにすると、巻取パイプ１４からスクリーン１６が巻解かれていく。そして、図５に示すように、スクリーン１６が下限位置に達して、遮蔽部１６ｄの巻取パイプ１４への巻付きが数巻、または一巻になった場合でも、遮蔽部１６ｄの透過部１６ａ全体が捨て巻き部１６ｃの不透過部１６ｂに重複しているために、透過部１６ａを介して巻取パイプ１４の表面が透けて見えることはなく、巻取パイプ部分の意匠性を良好にすることができる。
【００３３】
巻取パイプは一般に無着色のアルミ材で構成されることが多く、巻取パイプの表面がスクリーンから透けて見える場合、意匠性を向上させるためには金属色が露出しないように着色しなければならないが、この実施形態によれば、そのような着色を不要にすることができる。こうして、ロールスクリーン全体の意匠性を向上させることができる。
【００３４】
また、遮蔽部１６ｄにおいて、透過部１６ａの上に丁度、不透過部１６ｂが重なるように配慮する必要がないために、透過部１６ａと不透過部１６ｂのピッチと、巻取パイプ１４の径との間の自由度を増加させることができる。
【００３５】
捨て巻き部１６ｃを遮蔽部１６ｄと一体に構成するために、簡単に構成することができる。不透過部１６ｂが透過部１６ａの高さ寸法以上となるスクリーン１６の本来持つ構成を、捨て巻き部１６ｃの不透過部１６ｂでも、そのまま活かすことができ、捨て巻き部１６ｃの不透過部１６ｂによって、遮蔽部１６ｄの一巻目の透過部１６ａ全体を完全に重複させることができる。遮蔽部１６ｄの一巻目の透過部１６ａが２個以上ある場合であっても、捨て巻き部１６ｃの２個以上の不透過部１６ｂによって、遮蔽部１６ｄの一巻目の透過部１６ａ全体を完全に重複させることができる。
【００３６】
図６に第２の実施形態を示す。なお、以下において説明する構成以外は第１の実施形態と同様なので、説明を省略する。
【００３７】
この実施形態では、捨て巻き部１６ｃと遮蔽部１６ｄとがそれぞれ別体に構成されており、捨て巻き部１６ｃは例えば遮蔽部１６ｄの不透過部１６ｂの共布で構成されている。また、捨て巻き部１６ｃは巻取パイプ１４の表面全周を覆うことが可能な大きさを有している。
【００３８】
捨て巻き部１６ｃと遮蔽部１６ｄは第１の実施形態と同様のスクリーン連結部材２２によって巻取パイプ１４に取付けられる。捨て巻き部１６ｃと遮蔽部１６ｄは、第１の実施形態と同様の方法でスクリーン連結部材２２の固着部２２ａに固着してもよいが、この例では、遮蔽部１６ｄがスクリーン連結部材２２の固着部２２ａの一方の面に直接当接するように遮蔽部１６ｄと捨て巻き部１６ｃとを重ね合わせるとともに、遮蔽部１６ｄと捨て巻き部１６ｃの端部を係止部２２ｂに近接させて配置して、重なり合った捨て巻き部１６ｃの一部と遮蔽部１６ｄの一部とをステープルや縫製等により固着している。
【００３９】
そして、このように連結した遮蔽部１６ｄが、スクリーン連結部材２２の固着部２２ａの自由端部に沿って回り込んで固着部２２ａの他方の面上及び係止部２２ｂ上を通過させた状態にする。捨て巻き部１６ｃは、この例では、固着部２２ａの自由端部で回り込ませずに、そのまま同方向に導出させた状態としている。
【００４０】
図６（ａ）に示すように、上記状態を保ちつつ、固着部２２ａの自由端部側から連結溝１４ａ内にスクリーン連結部材２２を挿入し、図６（ｂ）に示すように、捨て巻き部１６ｃと遮蔽部１６ｄを巻取パイプの円周方向に対して互いに逆方向に開口部１４ａ−１から導出する。そして、捨て巻き部１６ｃは巻取パイプ１４の円周方向ほぼ全周に巻付けて巻取パイプ１４に貼り付ける等の方法で固定する。遮蔽部１６ｄは捨て巻き部１６ｃの巻付け方向とは反対方向から巻取パイプ１４に巻取られることになるが、捨て巻き部１６ｃの不透過部１６ｂが巻取パイプ１４ｂ全周に既に巻付けられているため、一巻目の透過部１６ａは必ず捨て巻き部１６ｃの不透過部１６ｂに重複する。よって、透過部１６ａを介して巻取パイプ１４の表面が透けて見えることはない。
【００４１】
なお、捨て巻き部１６ｃと遮蔽部１６ｄの構成は、上記実施の形態のものに限定されることはなく、一巻目の透過部１６ａ全体が捨て巻き部１６ｃの不透過部１６ｂに重複するように巻取パイプ１４に巻取られるように構成されていればよい。よって、捨て巻き部１６ｃを巻取パイプ１４の一巻目の透過部１６ａと重複する部分のみに固定する構成としてもよい。また、捨て巻き部１６ｃをスクリーン連結部材２２に直接連結する代わりに、巻取パイプ１４に直接貼り付けて固定する構成としてもよい。
【符号の説明】
【００４２】
１２  サイドブラケット
１４  巻取パイプ
１６  スクリーン
１６ａ  透過部
１６ｂ  不透過部
１６ｃ  捨て巻き部
１６ｄ  遮蔽部
２２  スクリーン連結部材
【図１】
2014163135.tif 000003
【図２】
2014163135.tif 000004
【図３】
2014163135.tif 000005
【図４】
2014163135.tif 000006
【図５】
2014163135.tif 000007
【図６】
2014163135.tif 000008